(57)【要約】【課題】  読取画質を劣化させることなく１ラインの読取時間を短縮可能な画像読取装置を提供する。【解決手段】  読取原稿からの反射光をアナログ画像信号に変換する光電変換手段と、前記光電変換手段を制御する信号を発生する制御信号発生手段とを備えた画像読取装置において、図４（ｂ）に示すように、前記制御信号発生手段により発生する前記光電変換手段の各画素の転送クロックを、前記光電変換手段の有効画素以外の画素転送時に、前記光電変換手段の有効画素転送時よりも高速にする。【選択図】        図４
2005192170.tif 000002
【特許請求の範囲】
【請求項１】
読取原稿からの反射光をアナログ画像信号に変換する光電変換手段と、前記光電変換手段を制御する信号を発生する制御信号発生手段とを備えた画像読取装置において、
前記制御信号発生手段により発生する前記光電変換手段の各画素の転送クロックを、前記光電変換手段の有効画素以外の画素転送時に、前記光電変換手段の有効画素転送時よりも高速にすることを特徴とする画像読取装置。
【請求項２】
読取原稿からの反射光をアナログ画像信号に変換する光電変換手段と、前記光電変換手段を制御する信号を発生する制御信号発生手段とを備えた画像読取装置において、
前記制御信号発生手段により発生する前記光電変換手段の各画素の転送クロックを、読取原稿の有効画素以外の画素転送時に、読取原稿の有効画素転送時よりも高速にすることを特徴とする画像読取装置。
【発明の詳細な説明】
【技術分野】
【０００１】
本発明は、画像読取装置に関し、特にその光電変換手段の画素転送に関するものである。
【背景技術】
【０００２】
従来、ラインイメージスキャナ、或いはＰＣ等に接続して使用するラインイメージスキャナ、ラインイメージスキャナを搭載したＦＡＸ，マルチファンクションプリンタ，複写機等の画像読取機能を有する装置において、光電変換手段の各画素の転送クロックは、光電変換手段または読取原稿の有効画素転送時も有効画素以外の画素転送時も同じ転送速度であった。参考文献としては、下記の特許文献１がある。
【特許文献１】特開平７−２０３１５４号公報
【発明の開示】
【発明が解決しようとする課題】
【０００３】
しかしながら、前述した従来技術においては下記のような問題があった。すなわち、前述したように、ラインイメージスキャナ、或いはＰＣ等に接続して使用するラインイメージスキャナ、或いはラインイメージスキャナを搭載したＦＡＸ，マルチファンクションプリンタ，複写機等の画像読取機能を有する装置においては、前記光電変換手段の各画素の転送クロックが、光電変換手段または読取原稿の有効画素転送時も有効画素以外の画素転送時も同じ転送速度であったために、有効画素以外の画素転送に多くの時間を費やしてしまい、全体の読取速度が落ちてしまうという問題があった。
【０００４】
本発明は、このような状況のもとでなされたもので、読取画質を劣化させることなく１ラインの読取時間を短縮可能な画像読取装置を提供することを課題とするものである。
【課題を解決するための手段】
【０００５】
前記課題を解決するために、本発明では、画像読取装置を次ぎの（１），（２）のとおりに構成する。
【０００６】
（１）読取原稿からの反射光をアナログ画像信号に変換する光電変換手段と、前記光電変換手段を制御する信号を発生する制御信号発生手段とを備えた画像読取装置において、
前記制御信号発生手段により発生する前記光電変換手段の各画素の転送クロックを、前記光電変換手段の有効画素以外の画素転送時に、前記光電変換手段の有効画素転送時よりも高速にする画像読取装置。
【０００７】
（２）読取原稿からの反射光をアナログ画像信号に変換する光電変換手段と、前記光電変換手段を制御する信号を発生する制御信号発生手段とを備えた画像読取装置において、
前記制御信号発生手段により発生する前記光電変換手段の各画素の転送クロックを、読取原稿の有効画素以外の画素転送時に、読取原稿の有効画素転送時よりも高速にする画像読取装置。
【発明の効果】
【０００８】
本発明によれば、読取画質を劣化させることなく１ラインの読取時間を短縮可能な画像読取装置を提供することができる。
【発明を実施するための最良の形態】
【０００９】
以下本発明を実施するための最良の形態を、実施例により詳しく説明する。
【実施例１】
【００１０】
図１は、実施例１である“画像読取装置”の概略構成を示す断面図である。図２は本実施例の機能ブロック図である。
【００１１】
図１に示すように、本画像読取装置は、原稿照明手段１０１、光反射手段（ミラー）１０２、集光手段（レンズ）１０３、光電変換手段（ＣＣＤ）１０４、原稿照明ユニットを搬送する搬送手段（モータ）１０５、画像読取装置を制御する制御手段１０６、原稿台１０７とを備え、かつ図２に示すように、制御手段１０６は、アナログ電圧調整手段ＣＤＳ／ＰＧＡ  ＡＭＰ１０９とＡＤ変換手段（ＡＤコンバータ）１１０と演算手段（ＣＰＵ）１１１と記憶手段（ＲＯＭまたはＲＡＭ）１１２とを備える。
【００１２】
前記各部の機能を詳述すると、原稿照明手段１０１が原稿１０８に照射し、原稿１０８からの１ライン分の反射光をミラー１０２で反射させ所定の光路長を経て、レンズ１０３でＣＣＤ１０４のセンサエリアに応じた範囲に光を集光する。その後、ＣＣＤ１０４に入射した光はＣＰＵ１１１の制御信号により電気信号に変換され、制御手段１０６へと伝達される。ＡＤコンバータ１１０はアナログ信号をディジタル信号に変換しＣＰＵ１１１が画像データヘと変換する。この動作を搬送手段１０５で動作させることに繰り返し、原稿１０８の全画像を読み込む。
【００１３】
図３は、ＣＣＤを動作させる際の一般的な（従来の）駆動タイミングチャートである。図３に記載してある信号は、光電変換手段、すなわちＣＣＤを駆動する際の主な信号３種類で、１ラインの読取時間を決定するラインパルス、画像信号を転送する転送クロック、主走査方向の画像信号である信号出力からなる。また信号出力上に書いてあるＤ＊＊はＣＣＤの有効画素外の画素信号すなわちダミー信号を表し、Ｓ＊＊はＣＣＤの有効画素信号を表す。
【００１４】
一般的なＣＣＤでは、図３に示すように、有効画素前後の画像信号として使用しないダミー画素と本来の画像信号であるＣＣＤ有効画素信号があり、転送クロックにより順次転送する。通常、ダミー画素の時も有効画素の時も同じ周波数の転送クロックで転送している。転送クロック周波数を高くすれば１ラインの読取時間を短くでき原稿の読取りも早くできるが、有効画素信号を転送する周波数には限界がある。それを説明するのが図４と図５である。
【００１５】
図４は正常に読取りが可能な例で信号出力に安定期間すなわち平坦部がある。図５は図４より転送クロックを速くした時の例で信号出力に安定期間がない。このケースでは原稿に忠実な読取画像を得ることができなくなる。
【００１６】
しかし有効画素以外の画素信号転送に限っては読取り自身が必要ないので図４に示した安定期間の条件に制約されることはない。したがって、有効画素以外の画素信号転送は有効画素信号転送時よりも高速に行うことができる。
【００１７】
図６は、“ダミー画素転送時と有効画素転送時のどちらとも同じ速度で転送する例”におけるＣＣＤ駆動制御信号のタイミングチャート（ａ）と、“ダミー画素転送を有効画素転送より速くする例”すなわち本実施例におけるＣＣＤ駆動制御信号のタイミングチャート（ｂ）を対比して示す図である。いずれの例においても、有効画素データ転送時は前述した安定期間の制約で最大転送クロックが自ずと決められてしまう。
【００１８】
今、仮に有効画素の最大転送クロックが２ＭＨｚで、ＣＣＤ有効画素数が５３４０画素、ダミー画素数が（６３十１７）＝８０画素の場合、
図６（ａ）の“ダミー画素転送時と有効画素転送時のどちらとも同じ速度で転送する例”では、
有効画素転送時間Ｔｓ１は
Ｔｓ１＝１／２ＭＨｚ＊５３４０＝２．６７０ｍｓ
となる。
【００１９】
また、ダミー画素転送時間Ｔｄ１は、ダミー画素の転送クロックが有効画素の転送クロックと同じなので、
Ｔｄ１＝１／２ＭＨｚ＊（６３＋１７）＝０．０４０ｍｓ
となる。
【００２０】
よって、１ラインの読取時間Ｔ１は
Ｔ１＝Ｔｓ１＋Ｔｄ１＝２．６７０ｍｓ＋０．０４０ｍｓ＝２．７１０ｍｓ
となる。
【００２１】
これに対し、図６（ｂ）の“ダミー画素転送を有効画素転送より速くする例”で、有効画素転送クロックを２ＭＨｚ、ダミー画素転送クロックを５ＭＨｚとすると、有効画素転送時間ｔｓ１は、
ｔｓ１＝１／２ＭＨｚ＊５３４０＝２．６７０ｍｓ
となる。
【００２２】
また、ダミー画素転送時間は、転送クロックが５ＭＨｚなので、
ｔｄ１＝１／５ＭＨｚ＊（６３＋１７）＝０．０１６ｍｓ
となる。
【００２３】
よって、１ラインの読み取り時間ｔ１は
ｔ１＝ｔｓ１＋ｔｄ１＝２．６７０ｍｓ＋０．０１６ｍｓ＝２．６８６ｍｓ
となる。
【００２４】
図６（ａ）と図６（ｂ）の１ラインの読み取り時間を比較すると、
Ｔ１−ｔ１＝２．７１０ｍｓ−２．６８０ｍｓ＝０．０２４ｍｓ
となり、本実施例の図６（ｂ）の方が１ラインにつき０．０２４ｍｓ速く読み取ることが可能となる。
【００２５】
以上説明したように、本実施例によれば、ＣＣＤの有効画素以外の画素転送時に、ＣＣＤの有効画素転送時よりも高速に画素転送することにより、読取画質を劣化させることなく１ラインの読取時間を短縮することが可能となる。
【実施例２】
【００２６】
実施例２である“画像読取装置”を説明する。ハードウエアの構成は、実施例１と同様なので、その説明を援用する。
【００２７】
図７は、“読取原稿の有効画素以外の画素と読取原稿の有効画素とを、どちらも同じ速度で転送する例”におけるＣＣＤ駆動制御信号のタイミングチャート（ａ）と、“読取原稿の有効画素外の画素を読取原稿の有効画素より速い速度で転送する例”すなわち本実施例におけるＣＣＤ駆動制御信号のタイミングチャート（ｂ）を対比して示す図である。
【００２８】
いずれの例においても、有効画素データ転送時は前述した安定期間の制約で最大転送クロックが自ずと決められてしまう。
【００２９】
今、仮に有効画素の最大転送クロックが２ＭＨｚで、読取原稿の有効画素数が５０００画素、読取原稿の有効画素以外の画素数が（６３＋３４０＋１７）＝４２０画素の場合、
図７（ａ）の“読取原稿の有効画素以外の画素と読取原稿の有効画素とを、どちらも同じ速度で転送する例”では、
読取原稿の有効画素転送時間Ｔｓ２は、
Ｔｓ２＝１／２ＭＨｚ＊５０００＝２．５００ｍｓ
となる。
【００３０】
また、読取原稿の有効画素以外の画素転送時間Ｔｄ２は、転送クロックは有効画素転送クロックと同じ２ＭＨｚなので、
Ｔｄ２＝１／２ＭＨｚ＊（６３＋３４０＋１７）＝０．２１０ｍｓ
となる。
【００３１】
よって１ラインの読取時間Ｔ２は、
Ｔ２＝Ｔｓ２＋Ｔｄ２＝２．５００ｍｓ＋０．２１０ｍｓ＝２．７１０ｍｓ
となる。
【００３２】
図７（ｂ）の“読取原稿の有効画素外の画素を読取原稿の有効画素より速い速度で転送する例”では、有効画素転送クロックを２ＭＨｚ、有効画素以外の画素の転送クロックを５ＭＨｚとすると、
読取原稿の有効画素転送時間ｔｓ２は
ｔｓ２＝１／２ＭＨｚ＊５０００＝２．５００ｍｓ
となる。
【００３３】
また、読取原稿の有効画素外の画素転送時間ｔｄ２は、
ｔｄ２＝１／５ＭＨｚ＊（６３＋３４０＋１７）＝０．０８４ｍｓ
となる。
【００３４】
よって、１ラインの読取時間ｔ２は、
ｔ２＝ｔｓ２＋ｔｄ２＝２．５００ｍｓ＋０．０８４ｍｓ＝２．５８４ｍｓ
となる。
【００３５】
図７（ａ）と図７（ｂ）の１ラインの読取時間を比較すると、
Ｔ２−ｔ２＝２．７１０ｍｓ−２．５８４ｍｓ＝０．１２６ｍｓ
となり、図７（ｂ）の方が１ラインにつき０．１２６ｍｓ速く読み取ることが可能となる。
【００３６】
以上説明したように本実施例によれば、読取原稿の有効画素以外の画素転送時に、読取原稿の有効画素転送時よりも高速に転送することにより、読取画質を劣化させることなく１ラインの読取時間を短縮することが可能となる。
【図面の簡単な説明】
【００３７】
【図１】実施例１の概略構成を示す断面図
【図２】機能ブロック図
【図３】ＣＣＤを動作させる際の一般的な（従来の）駆動タイミングチャート
【図４】有効画素信号を転送する周波数には限界があることを説明する図
【図５】有効画素信号を転送する周波数には限界があることを説明する図
【図６】実施例１の動作を示すタイミングチャート
【図７】実施例２の動作を示すタイミングチャート
【符号の説明】
【００３８】
１０４    光電変換手段
１０６    制御手段
１０８    原稿
【図１】
2005192170.tif 000003
【図２】
2005192170.tif 000004
【図３】
2005192170.tif 000005
【図４】
2005192170.tif 000006
【図５】
2005192170.tif 000007
【図６】
2005192170.tif 000008
【図７】
2005192170.tif 000009